(57)【要約】      （修正有）【課題】高価で複雑な装置を用いず、温度計を利用することを特徴とした熱伝導性材料からなる容器の液面確認装置を提供する。【解決手段】熱伝導性材料からなる容器１の外側に温度計２−１〜２−３を３個、液面方向に対し垂直に貼り付ける。容器１の表面温度と異なる液体３を容器１に投入しすると順次、各温度計を貼り付けた位置まで液体が投入されると同時に各温度計の指示値が変化し、液面の経時的変化を知ることができる。【選択図】図１
0003173808.tif 000002
【実用新案登録請求の範囲】
【請求項１】
熱伝導性材料からなる容器に前記容器表面温度と異なる温度の液体を充填する際に用いる液面確認装置であって、該液面確認装置が前記容器外壁部に繰り返し着脱可能な温度計であることを特徴とする液面確認装置。
【請求項２】
前項記載の温度計の感熱部が温度計の背面に設けられていることを特徴とする請求項１記載の液面確認装置。
【考案の詳細な説明】
【技術分野】
【０００１】
本考案は、高価で複雑な装置を用いず、温度計を利用することを特徴とした熱伝導性材料からなる容器の液面確認装置に関するものである。
【背景技術】
【０００２】
化学工場等において、生産した液体の商品等、あるいは副生する廃液を輸送する際、ドラム缶をはじめとした熱伝導性容器に充填し輸送することが多い。この充填作業において、液面の監視は重要な作業であるにもかかわらず、ドラム缶のように外部から液面が視認できない場合、充填している液体が容器のどこまで投入されているか作業者が容易に知る方法は少なく、容器ごと秤に載せ、その重量変化を確認したり、懐中電灯等で容器内を照らして液面を確認したり、容器内に棒を挿入し、その棒に液体が付着した場所を確認することで液面を確認したりといった方法が採られている。
【０００３】
しかしながら、容器を秤に載せ重量変化を確認する方法の場合、ドラム缶のように充填後の重量が大きくなる場合、容器を秤へ載せる、降ろすの作業が容易でなかったり、秤の設置場所が必要であったりする為、場所的制限も発生し好ましくない。また、充填している液体が化学薬品の場合、液体が有毒である場合が多く、上部から覗き込んだり、棒を挿入し液面を確認する方法の場合、これらの確認作業をする度に作業者が有毒な液体に暴露される可能性が高く、衛生面上問題と成り得る。また、液体が高温の場合、これらの確認作業中に液体が飛散し、作業者が火傷を起す可能性もあり、労働安全面からも勧められる方法とは言い難い。さらに、容器内部に棒を挿入する方法の場合、この棒の挿入により製品への異物混入の原因ともなり得ることから、品質保持の観点においても問題がある方法と言える。
【０００４】
これらの問題を解決する為、ドラム缶等に中空の竹の節の上部に針金を横に通したフロートを用いた液面計が提案されている。（特許文献１）
【０００５】
【特許文献１】実登３０９８４１０号公報
【考案の開示】
【考案が解決しようとする課題】
【０００６】
しかしながらこの方法によれば、ドラム缶内に前記フロートを投入することから異物混入の問題は依然解消されない。さらに、この方法を用いる場合、液面が容器上部まで達しフロートに変化が発生するまでは液面を確認することができず、経時的に液面を確認可能な方法とは言い難かった。
【課題を解決するための手段】
【０００７】
本考案は、これらの問題を解決する為、熱伝導性材料からなる容器の外側に繰り返し着脱可能な温度計を貼り付けることを特徴とする液面確認装置に関する考案である。
【考案の効果】
【０００８】
本考案の熱伝導性材料からなる容器の液面確認装置によると、液面を感知する部分は容器内部に投入しないことから製品等に対する異物混入という問題を回避することが可能である。また、複数個の温度計を併用することで、経時的に液面を簡易的に確認することが可能となる。さらには、着脱可能な温度計を使用することで、容器と投入する液体の性状に併せて温度計の貼り付け位置を調整することが容易であり、更には様々な容器に対し繰り返し使用可能であるという特徴も有している。
【考案を実施するための最良の形態】
【０００９】
本願考案が適用される熱伝導性材料からなる容器としては、容器表面温度と温度が異なる内容物を投入することができ、かつ、着脱可能な温度計を容器外側に貼り付けることができる構造を有していればどのようなものでも良い。例えば鉄製のドラム缶や一斗缶、ガソリン携行缶、ポリタンク等が例示される。
【００１０】
本考案で使用する温度計は容器から繰り返し着脱可能な構造を有しており、かつ、液体を充填している作業者からその温度が視認できる構造であればどのようなものであっても良い。また、容器に充填する液体による容器表面の温度変化を確実に捉える為には、温度計の感熱部部は容器表面から近ければ近いほど好ましく、更には温度計の感熱部は温度計の背面にあることがより好ましい。
【００１１】
温度計の着脱可能な構造の例としては、温度計の背面や側面に磁石を貼り付けこの磁力により温度計を支持する方法、温度計と容器にフックを取り付け、このフックにより温度計を支持する方法、容器と温度計にマジックテープ（登録商標）を予め貼り付けておき、これにより温度計を支持する等の方法が例示できる。
【００１２】
温度計の貼り付け位置としては、容器と容器に投入する液体の温度差や容器の熱伝導性に合わせ、投入する液体容器に投入した液体がどこまで投入されたかを確認したい場所より下側に貼り付ける。併せて、液体が投入されたことを容器の表面温度の変化により確認することから、容器表面温度を確実に測定できるように温度計を貼り付ける。これらの位置調整は、本発明においては着脱可能な温度計を使用していることから、当業者であれば容易に行うことが可能である。さらに、温度計を液面に対し垂直に複数個設置することで、液面の経時的変化を知ることもできる。
【００１３】
以上詳述したように本考案の液面確認装置を用いる事によって、液面を感知する部分は容器内部に投入しないことから製品等に対する異物混入という問題を回避しながら容易に容器の液面を確認することができる。さらには、複数個の温度計を併用することで、経時的に液面を確認することが可能であり、着脱可能な温度計を使用することで、その温度計の位置調整も容易で、かつ、様々な熱伝導性材料からなる容器に対し繰り返し使用可能であるという特徴も有している。
【図面の簡単な説明】
【００１４】
【図１】本考案の液面確認装置の具体的一実施例の正面図である。
【図２】本考案の液面確認装置に使用する温度計具体的一実施例の背面図である。
【実施例】
【００１５】
以下添付図に従って、一実施例を説明する。本考案の液面確認装置は、例えば図１に示す通り、熱伝導性材料からなる容器１の外側に温度計２−１〜２−３を３個、液面方向に対し垂直に貼り付けた。また、貼り付けた各温度計２は図２で示す通り、裏面に感熱部４と磁石５を有しており、磁石５の磁力により、容器１に張り付き、容易に着脱可能な形とした。容器１の表面温度と異なる液体３を容器１に投入し、温度計２−１を貼り付けた位置まで液面が達すると温度計２−１の指示値が変化し、液面が温度計２−１付近まで到達したことが判る。さらに、液面が上昇していくにつれ、温度計２−１〜２−３の指示値が温度計２−１、２−２、２−３の順に順次上昇することで、液面の経時的変化も知ることができる。そして、最上部の温度計２−３まで液面が達し、その温度計２−３の指示値が変化した段階で、液体３が所定の量まで投入されたことを簡易的に確認することができる。
【符号の説明】
【００１６】
１                    ：容器
２−１、２−２、２−３    ：温度計
３                    ：液体
４                    ：感熱部
５                    ：磁石
【図１】
0003173808.tif 000003
【図２】
0003173808.tif 000004